(57)【要約】      （修正有）【課題】片手でも操作ができ、重装過ぎず、コストの安い手動式チェーンブロックの作業補助具を提供する。【解決手段】手動式チェーンブロックでチェーン巻上げ操作を行う手引き作業補助具２であって、ハンドチェーン１に挿通れる軟質材製筒状体からなり、筒状体の内面２ｂは把持により弾性変形し、ハンドチェーン１のリンク肩部と密接することを特徴とする。【選択図】図１
2006182545.tif 000002
【特許請求の範囲】
【請求項１】
手動式チェーンブロックでチェーン巻上げ操作を行う手引き作業補助具であって、ハンドチェーンに挿通され、把持により弾性変形し、内面がハンドチェーンのリンク肩部と密接する把持部材であることを特徴とする手動チェーンブロック用手引き作業補助具。
【請求項２】
把持部材は、ハンドチェーンに挿通される軟質材製筒状体であることを特徴とする請求項１記載の手動チェーンブロック用手引き作業補助具。
【請求項３】
把持部材は、ハンドチェーンに挿通されるガイド部材と、ガイド部材に備えられる軟質材製把持部であることを特徴とする請求項１記載の手動チェーンブロック用手引き作業補助具。
【請求項４】
把持部材表面に、チェーンブロックの上げ下げ方向を示す表示を設けたことを特徴とする請求項１〜３いずれかに記載の手動チェーンブロック用手引き作業補助具。
【請求項５】
把持部材のハンドチェーン接触部は、柔軟性、耐磨耗性、緩衝性を有することを特徴とする請求項１〜４いずれかに記載の手動チェーンブロック用手引き作業補助具。
【発明の詳細な説明】
【技術分野】
【０００１】
本発明は、手動式チェーンブロックにおける手引き作業補助具に関する。
【背景技術】
【０００２】
従来、手動式チェーンブロックは、作業者が直接ハンドチェーンを握り、手引き作業により荷の昇降を行っており、重量物の昇降操作を行う場合は、手引き力が大きく、作業者に大きな肉体的負担を与えていた。そのため、作業者の負担を軽減するものとして、特許文献１に示されているように、手動式チェーンブロックのハンドチェーンの中間を巻掛けるホイルと、該ホイルを回転させる電動モータを備え、ハンドチェーンを電動で引き降し操作をするようにしたチェーンブロックが開発されている。しかし、この手動式チェーンブロックは、電動モータを用いるため、高コストとなるという課題を有していた。
【０００３】
そしてこの課題を解決するものとして、特許文献２に示されているように、電動モータを用いず、手引き作業時における作業者の負担を軽減する手引き作業補助具が提案されている。この手引き作業補助具は、図７に示すように、支持フレーム１１に開閉可能に軸着され、互いの先端部が接合する接合面１２ｂと、チェーン１０のよこリンク１０ｃに係合する係合面１２ｃをそれぞれ有する一対の回動部材１２と、回動部材１２に固設された把手１３を有し、把手１３の開閉動作により、一対の回動部材１２の先端に挿通されたチェーン１０の手引き動作を行う構成のものである。
【特許文献１】実公平７−11107号公報（２頁、図１参照）
【特許文献２】特開2003-276993号公報（３頁、図１参照）
【発明の開示】
【発明が解決しようとする課題】
【０００４】
しかしながら、前記特許文献２に記載された手引き作業補助具は、回動部材を中心部分で分割可能として、開閉動作をすることによって、手引き時には、チェーンを回動部材で挟み込み、チェーンを補助具に固定するので、作業者は、把手を水平にした状態でチェーンを引く方向と直角方向に握り、手引き作用を行うので、力が伝達し易く、作業者の肉体的負担を軽減することができるという効果を有するものであるが、両手で操作をする必要があり、また低負荷時の荷の昇降時における使用には、補助具が重装過ぎ、また、部品点数が多く、補助具のコストが高価になるという課題を有していた。
【課題を解決するための手段】
【０００５】
上記課題を解決するため、本発明は、手動式チェーンブロックでチェーン巻上げ操作を行う手引き作業補助具であって、ハンドチェーンに挿通され、把持により弾性変形し、内面がハンドチェーンのリンク肩部と密接する把持部材であることを特徴とする。
【０００６】
また、把持部材は、ハンドチェーンに挿通れる軟質材製筒状体であることを特徴とし、また、把持部材は、ハンドチェーンに挿通されるガイド部材と、ガイド部材に備えられる軟質材製把持部であることを特徴とする。
【０００７】
また、把持部材表面に、チェーンブロックの上げ下げ方向を示す表示を設けたことを特徴とする。
【０００８】
また、把持部材のハンドチェーン接触部は、柔軟性、耐磨耗性、緩衝性を有することを特徴とする。
【発明の効果】
【０００９】
本発明の手引き作業補助具は、少ない把持力でハンドチェーンを咬持でき、かつ片手での操作が可能であり、作業者の負担を軽減らすことができる。さらに、詳しくは、人手によってハンドチェーンの引き下げ作業をする場合には、親指と人差し指の間でハンドチェーンの肩部を咬持し、ハンドチェーンを引き下げるか、手のひらでチェーンの表面を押さえて引き下げるため、引き下げ時に、すべりが発生し、すべりに抗して引き下げるためには、大きな把持力を必要としていたが、本発明の手引き作業補助具は、手のひら全体で把持部材を把持すると、その把持力によって把持部材が変形して、把持部材の内側は、ハンドチェーンのタテ・ヨコリンクで形成される凹凸部に密接してフィットし、握っている手のひらの全範囲で複数のたてリンクの肩部を咬持するので、荷の昇降時におけるスリップの発生を防止でき、少ない把持力でハンドチェーンを引き下げでき、作業者の負担を軽減することができる。
【００１０】
また、従来、手で操作する場合においては、リンク巾が小さいハンドチェーンを用いると、タテヨコリンク間で形成する凹凸が小さく、チェーンの引き下げ時にスリップが発生し易くなり、手引き力が伝達しづらい欠点があり、リンク巾の小さいチェーンの使用は制限されていたが、本発明では、リンク巾の小さいハンドチェーンにおいても、引き下げ時にスリップが発生しないため、リンク巾の小さい仕様のハンドチェーンの使用が可能となり、ハンドホイールを小型化でき、チェーンブロックの小型化に寄与できる。さらに、把持部材の表面に、ハンドチェーンの操作方法の指示を表示することにより、ハンドチェーンの巻き下げ巻き上げ方向を手元にて確認することができ、誤操作の発生を防止することができる。
【００１１】
また、本発明の手引き作業補助具は、前記した通り、少ない把持力でチェーンを咬持し、大きな引き下げ力を得ることができるので、高負荷時における補助具として使用が可能であるとともに、従来装置は両手操作のものであったが、本発明では、片手操作が可能であるため、残りの手で荷揺れを押える操作や、高所においては、作業者の身体を支える動作に使用できるため、手引き作業を正確かつ安全に行うことができる。
【発明を実施するための最良の形態】
【００１２】
（実施例１）
以下、本発明の実施の形態の手引き作業補助具を図１〜図５を参照して説明する。図１は、本発明の実施の形態１の手引き作業補助具を用いたチェーンブロックの全体概要図、図２、３は手引き作業補助具を示す断面図で、図２は通常時（非操作時）、図３は手引き操作時を示す。図４、５は本発明の手引き作業補助具の操作方向表示を示す全体概要図である。
【００１３】
図において、１はハンドチェーン、１ａは、上げ方向操作ハンドチェーン、１ｂは下げ方向操作ハンドチェーン、２は本発明の手引き作業補助具で、軟質材等から形成される筒状体で、把持部材を構成する。２ａは筒状体表面、２ｂは筒状体内面、２ｃは中空部で、中空部２ｃには、ハンドチェーン１が挿通される。手引き作業補助具２の材料は、例えば、ゴム、シリコン等の発泡体からなる軟質材料であって、内面２ｂは耐磨耗性、緩衝性を有する構成のものである。
【００１４】
また、発泡体表面２ａを液晶性ポリマーで補強することで高強度とすると好ましい。また、発泡体に変えて軟質ゴム材を用いてもよい。本発明の手引き作業補助具２は、人手による把持力が作用しない時には、筒形状を保って、ハンドチェーン１に滑動可能である。筒状体の内径及び厚さは、ハンドチェーン１の幅や荷の荷重により適宜決定される。
【００１５】
以上の通り、把持部材２は作業者が把持していない時は、ハンドチェーン１に沿ってスムースに移動可能であり、手引き操作時には、前記把持部材２を握ることにより、把持部材２が変形し、把持部材２の内面２ｂは、図３の２ｄで示すように、ハンドチェーン１のヨコリンク３ｂの肩部に密接してフィットし、一方タテリンク３ａ、ヨコリンク３ｂの外側も、把持部材２が変形することで、両リンク３ａ、３ｂの外側と密接してフィットし、把持部材２の握部全体において、タテ、ヨコリンク３ａ、３ｂを拘束する。また、把持部材２の表面２ａも握った状態にあわせ弾性変形する。これにより、ハンドチェーン１を引くときには滑ること無く、手引き作用を行うことができ、また、把持部材２を介することで、ハンドチェーン１が手に直接食込むことを防止し、握り易く引き易い形状を得ることができ、操作時の負担を軽減することができる。
【００１６】
図１に示すように、チェーンブロックは、チェーンブロック本体５から下方に無端状に垂下するハンドチェーン１ａ、１ｂの内どれを操作すれば、荷が上昇、或いは下降するのか判断が難かしいという問題があったが、本発明では、把持部材２の表面にチェーンブロックの上げ方向表示４ａと下げ方向表示４ｂを設けているので、無端状に垂下する１方側のハンドチェーン１ａで上げ方向の手引き操作を行う場合には、把持部材２の表面に上げ方向表示４ａが表示され、他方側のハンドチェーン１ｂで下げ方向の手引き操作を行う場合は、把持部材２の上下が逆転し、把持部材２の表面に下げ方向表示４ｂが表示される。このように、操作方向表示を設けることで、誤操作の発生を防止することができる。
【００１７】
また、把持部材２は把持機能と操作方向表示機能を備えているので、安全な手引き作業補助具を低コストで提供できる効果も有する。
【００１８】
また、把持部材２をハンドチェーン１に装着できるように、上下方向に分割可能で、かつ分割部を連結できる手段を設けると好ましい。
【００１９】
（実施例２）
本発明の実施の形態２の手引き作業補助具を図６を参照して説明する。
【００２０】
図６は実施の形態２の手引き作業補助具を示す全体概要図である。図において、８はハンドチェーンに挿通されるガイド部材で、金属等の硬質部材であってもよいし、また、合成ゴム等の軟質部材であってもよい。２はガイド部材８のハンドチェーン長さ方向に連設される軟質材製の把持部材で、本実施の形態では、把持により、ハンドチェーン１を包んでハンドチェーンを拘束する平板部２ｅを有する。
【００２１】
本実施の形態において、把持部材２は作業者が把持していない時は、ガイド部材８でハンドチェーン１に沿ってスムースに移動可能であり、手引き操作時には、前記把持部材２の平板部２ｅを握ることにより、平板部２ｅが変形し、実施例１と同様に、図３に示すように、ハンドチェーン１のヨコリンク３ｂの肩部に密接してフィットし、一方タテリンク３ａ、ヨコリンク３ｂの外側も、把持部材２の平板部２ｅが変形することで、両リンク３ａ、３ｂの外側と密接してフィットし、把持部材２の平板部２ｅの握部全体において、タテ、ヨコリンク３ａ、３ｂを拘束する。これにより、ハンドチェーン１を引くときには滑ること無く、手引き作用を行うことができ、また、把持部材２を介することで、ハンドチェーン１が手に食込むことを防止し、握り易く引き易い形状を得ることができ、操作時の負担を軽減することができる。本実施例の把持部材２の平板部２ｅ表面に、実施例１と同様に、チェーンの上げ、下げ方向を示す表示部を設けることができる。
【００２２】
また、本実施例では、把持部材２を平板部２ｅとしたが、平板状に限定されるものではなく、把持により、ハンドチェーン１を包んで、ハンドチェーン１を拘束できる形状のものであればよい。
【産業上の利用可能性】
【００２３】
本発明の手引き作業補助具は、作業者の把持により弾性変形し、内面がハンドチェーンのリンク肩部を密接する筒状体の構成のものであって、片手で操作が可能であり、リンク巾の小さいハンドチェーンにおいても使用可能であり、小型チェーンブロックにおいて特に好適に用いることができる。
【図面の簡単な説明】
【００２４】
【図１】本発明の実施の形態１の手引き作業補助具を装備したチェーンブロックの全体概観図。
【図２】手引き作業補助具の通常時の断面図。
【図３】図２の操作時の断面図。
【図４】手引き作業補助具の操作方向表示を示す全体概観図。
【図５】手引き作業補助具の操作方向表示を示す全体概観図。
【図６】本発明の実施の形態２の手引き作業補助具を示す全体概要図。
【図７】従来装置の正面図。
【符号の説明】
【００２５】
１    ハンドチェーン
１ａ  上げ方向操作ハンドチェーン
１ｂ  下げ方向操作ハンドチェーン
２    把持部材
２ａ  把持部材表面
２ｂ  把持部材内面
２ｃ  中空部
２ｄ  肩部密接部
２ｅ  平板部
３ａ  タテリンク
３ｂ  ヨコリンク
３ｃ  リンク肩部
４ａ  上げ方向表示
４ｂ  下げ方向表示
５    チェーンブロック本体
６    フック
７    ロードチェーン
８    ガイド部材
【図１】
2006182545.tif 000003
【図２】
2006182545.tif 000004
【図３】
2006182545.tif 000005
【図４】
2006182545.tif 000006
【図５】
2006182545.tif 000007
【図６】
2006182545.tif 000008
【図７】
2006182545.tif 000009